(57)【要約】【課題】折板屋根の端縁に、雨樋を保持するために固定する長尺状の吊り部材の向きを、容易に且つ簡素な構造で調整できるようにする。【解決手段】金属板を波状に折り曲げて構成された折板屋根２と、折板屋根２の端縁２ｇに沿って複数取り付けられる長尺状の上部吊り部材１１，１４と、上部吊り部材１１，１４に連結され雨樋１を保持する下部吊り部材１２，１３，１７と、上部吊り部材１１，１４と下部吊り部材１２，１３，１７とを回動可能に連結する回動支持部２０と、を備える雨樋支持用の樋受部材１０とした。【選択図】図１
2020090788.tif 000002
【特許請求の範囲】
【請求項１】
金属板を波状に折り曲げて構成された折板屋根（２）と、
前記折板屋根（２）の端縁（２ｇ）に沿って並列して複数取り付けられる長尺状の上部吊り部材（１１，１４）と、
前記上部吊り部材（１１，１４）の下方に連結され雨樋（１）を保持する下部吊り部材（１２，１３，１７）と、
前記上部吊り部材（１１，１４）と前記下部吊り部材（１２，１３，１７）とを回動可能に連結する回動支持部（２０）と、
を備える雨樋支持用の樋受部材。
【請求項２】
前記回動支持部（２０）は、前記折板屋根（２）の平面視において前記端縁（２ｇ）の伸びる方向に交差する軸方向を有する回動軸（２１，２２）を備え、
前記上部吊り部材（１１，１４）と前記下部吊り部材（１２，１３，１７）とは前記回動軸（２１，２２）の軸周りに回動可能である請求項１に記載の雨樋支持用の樋受部材。
【請求項３】
前記上部吊り部材（１１，１４）及び前記下部吊り部材（１２，１３，１７）は板状部材であり、
前記回動軸（２１，２２）は前記板状部材からなる前記上部吊り部材（１１，１４）及び前記下部吊り部材（１２，１３，１７）を貫通する請求項２に記載の雨樋支持用の樋受部材。
【請求項４】
前記上部吊り部材（１１，１４）は、前記折板屋根（２）の平面視において前記端縁（２ｇ）に交差する方向に並列して複数取り付けられ、
複数の前記上部吊り部材（１１，１４）にそれぞれ前記回動支持部（２０）を介して前記下部吊り部材（１２，１３，１７）が連結され、
前記交差する方向に並列する複数の前記回動支持部（２０）は前記折板屋根（２）の下端からの距離（Ｈ）が等しく設定されている請求項１から３のいずれか１項に記載の雨樋支持用の樋受部材。
【発明の詳細な説明】
【技術分野】
【０００１】
この発明は、各種建築物における雨樋支持用の樋受部材に関するものである。
【背景技術】
【０００２】
各種建築物において、屋根の端縁に沿って雨水を排水するための雨樋が配置される。このような雨樋の固定構造として、例えば、特許文献１、２に記載の樋受部材（樋受金具）を用いた構造がある。
【０００３】
特許文献１、２に記載の樋受部材は、金属板を波状に折り曲げて構成された折板屋根に対して取り付けられるものである。折板屋根の端縁に、断面コ字状の雨樋を保持する吊り部材が固定されている。ここでは、吊り部材として、長尺状の吊りボルトが採用されている。吊りボルトの下端に、吊り具本体がナットを介して固定されている。吊り具本体は、折板屋根の端縁に沿って所定の間隔で設けられている。
【先行技術文献】
【特許文献】
【０００４】
【特許文献１】特開２０００−３０３６３２号公報（第８頁第５図、第６図等を参照）
【特許文献２】特開２００１−４９８１３号公報（第６頁第３図参照）
【発明の概要】
【発明が解決しようとする課題】
【０００５】
一般に、折板屋根は、金属板を波状に折り曲げて構成されている。その形状は、例えば、図９に示すように、フラットな板面を有する頂部２ｂと、フラットな板面を有する底部２ａとが傾斜部２ｃによって交互に接続されている。頂部２ｂと傾斜部２ｃ、底部２ａと傾斜部２ｃとの接続箇所が金属板の折れ点であり、全体として山と谷が交互に配置されている。
【０００６】
従来の樋受部材では、特許文献１、２に示すように、折板屋根に固定する吊り部材として、長尺状の吊りボルトが、フラットな板面を有する頂部２ｂや底部２ａに固定されている。ここで、吊り部材として、長尺状の吊りボルトに代えて、長尺状の板状部材が用いられることもある。
【０００７】
このような吊り部材は、折板屋根の頂部２ｂや底部２ａの板面方向が一様でないと、その向きがまちまちとなる。特に、図９に示すように、折板屋根を構成する折板同士の接合部２ｄの近傍は、カシメによって板面２ｅ、２ｆが傾斜している場合が多い。このため、図９の中央に示すように、接合部２ｄ付近に吊り部材３を設けると、その吊り部材３の向きＢが、屋根材に対する垂直方向（屋根材の端縁が水平であれば鉛直方向に相当）Ｄに対して傾いてしまう事態が生じやすい。なお、図９の左端及び右端に示す吊り部材３は、その向きＡ、Ｃが屋根材に対する垂直方向に一致した状態を示している。
【０００８】
多数並列する吊り部材の向きが統一されていないと、建築物の美観を損なうという問題がある。なお、折板屋根の板面の傾斜は、折板同士の接合によって生じるだけではなく、折板の製造時における曲げ精度のばらつきや、建築物への取り付け時における施工精度のばらつき等によっても生じ得る。
【０００９】
この点、特許文献２の樋受部材によれば、折板の板面と締付用のナットとの間にくさび状のワッシャを介在させることによって、長尺状の吊り部材の方向を調整することができる。しかし、この技術では、吊り部材の向きを調整するために、１本１本の吊り部材に対してナットを緩めて、ワッシャの向きを調整する必要がある。ワッシャは、折板を挟んで表裏両側に配置されているので、この調整は、折板の表裏両側での作業となり繁雑である。また、大規模な施工現場では、何百、何千もの樋受部材を使用する場合があるので、容易に且つ簡素な構造で調整できる吊り部材が求められている。
【００１０】
そこで、この発明の課題は、折板屋根の端縁に、雨樋を保持するために固定する長尺状の吊り部材の向きを、容易に且つ簡素な構造で調整できるようにすることである。
【課題を解決するための手段】
【００１１】
上記の課題を解決するために、この発明は、金属板を波状に折り曲げて構成された折板屋根と、前記折板屋根の端縁に沿って並列して複数取り付けられる長尺状の上部吊り部材と、前記上部吊り部材の下方に連結され雨樋を保持する下部吊り部材と、前記上部吊り部材と前記下部吊り部材とを回動可能に連結する回動支持部と、を備える雨樋支持用の樋受部材を採用した。
【００１２】
ここで、前記回動支持部は、前記折板屋根の平面視において前記端縁の伸びる方向に交差する軸方向を有する回動軸を備え、前記上部吊り部材と前記下部吊り部材とは前記回動軸の軸周りに回動可能である構成を採用することができる。
【００１３】
また、前記上部吊り部材及び前記下部吊り部材は板状部材であり、前記回動軸は前記板状部材からなる前記上部吊り部材及び前記下部吊り部材を貫通する構成を採用することができる。
【００１４】
これらの各態様において、前記上部吊り部材は、前記折板屋根の平面視において前記端縁に交差する方向に並列して複数取り付けられ、複数の前記上部吊り部材にそれぞれ前記回動支持部を介して前記下部吊り部材が連結され、前記交差する方向に並列する複数の前記回動支持部は前記折板屋根の下端からの距離が等しく設定されている構成を採用することができる。
【発明の効果】
【００１５】
この発明は、折板屋根の端縁に沿って並列して複数の長尺状の上部吊り部材を取り付け、上部吊り部材の下方に回動支持部を介して雨樋を保持する下部吊り部材を連結したので、雨樋を保持するための吊り部材の向きを、容易に且つ簡素な構造で調整できるようになる。
【図面の簡単な説明】
【００１６】
【図１】この発明の一実施形態を示す要部拡大斜視図
【図２】樋受部材の斜視図
【図３】樋受部材を折板屋根に固定した状態を示す断面図
【図４】樋受部材を折板屋根に固定した状態を示す正面図
【図５】樋受部材を折板屋根の接合部近傍に固定した状態を示す正面図
【図６】他の実施形態を示す樋受部材の斜視図
【図７】図６の樋受部材を折板屋根に固定した状態を示す断面図
【図８】さらに他の実施形態を示す樋受部材の斜視図
【図９】従来例を示す正面図
【発明を実施するための形態】
【００１７】
この発明の実施形態を図面に基づいて説明する。この実施形態は、例えば、倉庫や工場等のように、屋根材として折板２（以下、折板屋根２と称する。）が固定されている各種建築物における雨樋支持用の樋受部材１０、及び、その樋受部材１０を用いた雨樋１の支持構造に関するものである。
【００１８】
建築物を構成する柱や梁材に対して、屋根材として折板屋根２が固定されている。折板屋根２は、金属板を波状に折り曲げて構成されている。その形状は従来例と同様であり、フラットな板面を有する頂部２ｂと、フラットな板面を有する底部２ａとが傾斜部２ｃによって交互に接続されている。頂部２ｂと傾斜部２ｃ、底部２ａと傾斜部２ｃとの接続箇所が金属板の折れ点であり、全体として山と谷が交互に配置されている。図１は、このような折板屋根２の端縁２ｇに沿って取り付けられた、この発明に係る雨樋１の支持構造を示している。
【００１９】
なお、折板屋根２における頂部２ｂや底部２ａの幅や、頂部２ｂと底部２ａとの高低差、傾斜部２ｃの傾斜角度等は、折板屋根２の仕様に応じて任意に設定される。以下、折板屋根２の平面視において、山と谷の並列方向、すなわち、雨樋１の取り付け箇所における端縁２ｇの伸びる方向を「端縁２ｇの方向」、又は、単に「端縁方向」と称する。また、山と谷が伸びる方向、すなわち、端縁２ｇに交差（通常は直交）する方向を「端縁２ｇに対する交差方向」、又は、単に「端縁交差方向」と称する。折板屋根２は、端縁方向及び端縁交差方向に複数連結されて使用される。１枚の折板屋根２における端縁方向への幅、及び、端縁交差方向への長さ、山と谷の繰り返し数は仕様に応じて適宜設定される。
【００２０】
折板屋根２同士の端縁方向への連結は、図１に示すように、金属板の縁同士を塑性変形させた接合部（カシメ部）２ｄを介して行われる。折板屋根２同士の端縁交差方向への連結は、隣り合う折板屋根２の山と山、谷と谷同士を重ね合わせて、その重なり部分を貫通するボルトと、ボルトにねじ込まれるナットとによって行われる。
【００２１】
樋受部材１０の構成は、折板屋根２の端縁２ｇに沿って並列して複数取り付けられる長尺状の上部吊り部材１１，１４と、上部吊り部材１１，１４の下方に連結され雨樋１を保持する下部吊り部材１２，１３と、上部吊り部材１１，１４と下部吊り部材１２，１３とを回動可能に連結する回動支持部２０とを備えたものとなっている。樋受部材１０の素材は通常は金属であるが、強度や耐久性が確保されるならば、繊維強化樹脂等の他の素材であってもよい。
【００２２】
この実施形態では、上部吊り部材１１，１４は、図１〜図３に示すように、折板屋根２の平面視における端縁２ｇに対する交差方向に並列して２つ取り付けられている。ここで、折板屋根２の端縁２ｇ側に位置する上部吊り部材１１を、外方上部吊り部材１１と称する。折板屋根２の端縁２ｇよりも奥部側に位置する上部吊り部材１１を、内方上部吊り部材１４と称する。
【００２３】
外方上部吊り部材１１は、長尺状の板状部材を曲げ加工して構成されている。外方上部吊り部材１１は、折板屋根２の頂部２ｂに固定される水平部１１ａと、その水平部１１ａの外方端に接続される傾斜部１１ｂと、傾斜部１１ｂの下端に接続される垂直部１１ｃとを備えている。水平部１１ａと傾斜部１１ｂ、傾斜部１１ｂと垂直部１１ｃの境界は、それぞれ曲げ加工された板状部材の折れ点となっている。
【００２４】
水平部１１ａは、折板屋根２の頂部２ｂの上面に面接触した状態に固定される。頂部２ｂに接合部２ｄがある場合は、頂部２ｂの上面は傾斜面２ｅ，２ｆとなっているので、水平部１１ａは、この傾斜面２ｅ，２ｆの上面に面接触した状態に固定される。傾斜部１１ｂは、水平部１１ａの端部から外方へ向かうにつれて下り勾配である。その傾斜部１１ｂの下端に垂直部１１ｃが続いている。なお、外方上部吊り部材１１は、傾斜部１１ｂを省略した態様も考えられる。
【００２５】
内方上部吊り部材１４は、同じく、長尺状の板状部材を曲げ加工して構成されている。内方上部吊り部材１４は、折板屋根２の頂部２ｂに固定される水平部１４ａと、その水平部１４ａの内方端に接続される垂直部１４ｂとを備えている。水平部１４ａと垂直部１４ｂの境界は、曲げ加工された板状部材の折れ点となっている。なお、水平部１４ａと垂直部１４ｂとの間に、外方上部吊り部材１１のような傾斜部を介在させてもよい。
【００２６】
水平部１４ａは、折板屋根２の頂部２ｂの下面に面接触した状態に固定される。頂部２ｂに接合部２ｄがある場合は、水平部１４ａは、頂部２ｂの傾斜面２ｅ，２ｆの下面に面接触した状態に固定される。
【００２７】
水平部１１ａ，１４ａの頂部２ｂへの固定は、図２及び図３に示すように、固定手段２３，２４によって行われる。この実施形態の固定手段２３，２４は、それぞれ、水平部１１ａ，１４ａと頂部２ｂを貫通するボルト２３ａ，２４ａと、そのボルト２３ａ，２４ａに挿通されるワッシャ２３ｃ，２４ｃ、ボルト２３ａ，２４ａにねじ込まれるナット２３ｂ，２４ｂとで構成されている。頂部２ｂの板面とナット２３ｂ，２４ｂやワッシャ２３ｃ，２４ｃとの間に、適宜スペーサ等を介在させてもよい。
【００２８】
外方上部吊り部材１１及び内方上部吊り部材１４には、それぞれ回動支持部２０を介して下部吊り部材１２，１３が連結されている。すなわち、下部吊り部材１２，１３も、端縁２ｇに対する交差方向に並列して２つ配置されている。ここで、折板屋根２の端縁２ｇ側に位置する下部吊り部材１２を、外方下部吊り部材１２と称する。折板屋根２の端縁２ｇよりも奥部側に位置する下部吊り部材１３を、内方下部吊り部材１３と称する。
【００２９】
外方下部吊り部材１２は、長尺状の板状部材で構成されている。外方下部吊り部材１２は、回動支持部２０が設けられる上端部１２ａから、内方下部吊り部材１３との接続点である下端部１２ｂに至る直線状の部材である。上端部１２ａと下端部１２ｂとの間に、雨樋１を保持するためのフック状の係止部１５を備えている。
【００３０】
内方下部吊り部材１３も、同じく、長尺状の板状部材を曲げ加工して構成されている。内方下部吊り部材１３は、回動支持部２０が設けられる上端部１３ｄを有する垂直部１３ａと、その垂直部１３ａの下端に接続され水平方向外方へ伸びる下方部１３ｂとを備えるＬ字状の部材である。垂直部１３ａの途中に、雨樋１を保持するためのフック状の係止部１６を備えている。垂直部１３ａと下方部１３ｂの境界は、曲げ加工された板状部材の折れ点となっている。
【００３１】
外方下部吊り部材１２の下端部１２ｂと、内方下部吊り部材１３の下方部１３ｂの外方端に設けた接続部１３ｃとは、固定手段２５によって接続されている。この実施形態の固定手段２５は、下端部１２ｂと接続部１３ｃを貫通するボルト２５ａと、そのボルト２５ａに挿通されるワッシャ２５ｃ、ボルト２５ａにねじ込まれるナット２５ｂとで構成されている。
【００３２】
なお、通常は、この実施形態のように、上部吊り部材１１，１４を端縁交差方向に並列して２つセットで用いるが、雨樋１の形状や大きさによっては、これを１つのみ、又は、３つ以上セットで用いる構成も考えられる。上部吊り部材１１，１４を２つセットで用いた場合、二つの上部吊り部材１１，１４にそれぞれ下部吊り部材１２，１３が接続される。すなわち、下部吊り部材１２，１３が設置された箇所数と同数だけ、上部吊り部材１１，１４と下部吊り部材１２，１３とを接続する回動支持部２０が設置されることが望ましい。また、上部吊り部材１１，１４及び下部吊り部材１２，１３は、必ずしも一体に成型又は切り出された部材でなくてもよく、複数の部材が接合されたものであってもよい。
【００３３】
雨樋１は、底部１ａとその底部１ａの幅方向両端から立ち上がる側壁部１ｂとからなる凹状の断面を有し、その断面が一定の長さで連続する長手状の溝部材である。雨樋１の素材は、用途や仕様に応じて、金属や樹脂等が採用される。
【００３４】
雨樋１は、側壁部１ｂの上端付近が、係止部１５，１６によって保持されている。また、底部１ａが、外方下部吊り部材１２又は内方下部吊り部材１３によって保持されている。ここで、底部１ａが、外方下部吊り部材１２によって保持される構成としてもよい。
【００３５】
回動支持部２０は、端縁交差方向に向けて軸方向を有する回動軸２１，２２を備えている。回動軸２１は、板状部材からなる外方上部吊り部材１１と外方下部吊り部材１２の重なり部を板厚方向に貫通し、外方上部吊り部材１１と外方下部吊り部材１２を回動軸２１の軸周りに回動可能に支持している。また、回動軸２２は、板状部材からなる内方上部吊り部材１４と内方下部吊り部材１３の重なり部を板厚方向に貫通し、内方上部吊り部材１４と内方下部吊り部材１３を回動軸２２の軸周りに回動可能に支持している。
【００３６】
この実施形態では、回動軸２１，２２は、頭部と軸部とを有するリベット形式のピンであり、軸部を板状部材の重なり部の穴に貫通させた後、軸部の先端を塑性変形によりカシメることで抜け止めし、両者を回動自在に保持している。回動軸２１，２２は、リベット形式のピン以外にも、例えば、ボルトとナット等を採用することができる。
【００３７】
図４は、回動支持部２０を挟んで上下の吊り部材の軸心ｃ，ａが、一直線上になっている状態を示している。この箇所では、折板屋根２の頂部２ｂがフラットな水平状態であるため、上下の吊り部材の軸心ｃ，ａは、頂部２ｂの面方向に直交する方向であり、外観上も綺麗な状態となっている。
【００３８】
図５は、回動支持部２０を挟んで上下の吊り部材の軸心ｊ，ｇが、一直線上になっていない状態を示している。この箇所では、折板屋根２の頂部２ｂが接合部２ｄを伴う傾斜面２ｅ，２ｆであるため、上方の吊り部材の軸心ｊは、本来の頂部２ｂの面方向ｋに直交する方向とはなっておらず、角度αだけ傾いた傾斜面ｅや傾斜面ｆに直交する方向となっている。そこで、この発明では、上下の吊り部材の軸心ｊ，ｇを互いに角度αで交差させることで、下方の吊り部材の軸心ｇを本来の頂部２ｂの面方向ｋに直交する方向とし、図４に示す隣接する樋受部材１０との外観上の統一を図っている。
【００３９】
なお、図４及び図５では、外方上部吊り部材１１と外方下部吊り部材１２との関係を示しているが、内方上部吊り部材１４と内方下部吊り部材１３との関係においても、同様のことがいえる。
【００４０】
ここで、端縁交差方向に並列する複数の回動支持部２０、すなわち、外方上部吊り部材１１と外方下部吊り部材１２との間の回動支持部２０と、内方上部吊り部材１４と内方下部吊り部材１３との間の回動支持部２０は、図３に示すように、互いに、折板屋根２の下端からの距離Ｈが等しく設定されている。ここでは、回動支持部２０は回動軸２１，２２によるものであるので、回動軸２１，２２の軸心が同軸に設定されている。このため、上下の吊り部材同士を回動させる際に、外方側の吊り部材同士の交差角度と内方側の吊り部材同士の交差角度とを等しく設定しやすい。この点においても、外観上綺麗な樋受部材１０とすることができる。
【００４１】
他の実施形態を、図６及び図７に示す。この実施形態は、上記図１〜図５に示す実施形態の外方下部吊り部材１２と内方下部吊り部材１３に代えて、一体の下部吊り部材１７を採用したものである。下部吊り部材１７は、回動支持部２０を介して、外方上部吊り部材１１と内方上部吊り部材１４の両方に対して回動可能に支持されている。
【００４２】
下部吊り部材１７は、本体部１７ａの外方側端と内方側端に、それぞれ回動支持部２０に接続される垂直部１７ｂを備えている。垂直部１７ｂの下端には、雨樋１の側壁部１ｂに設けた突出部１ｃを保持する、内向きの係止部１７ｃを備えている。また、本体部１７ａの下面には抜け止め片１７ｄを備え、突出部１ｃが係止部１７ｃから脱落することを防止している。
【００４３】
このように、樋受部材１０における回動支持部２０を挟む上下の吊り部材の態様は、上記の実施形態には限定されず、雨樋１を保持できる限りにおいて、種々の形態を採用できる。
【００４４】
さらに他の実施形態を、図８に示す。この実施形態は、樋受部材１０を構成する板状部材からなる吊り部材に対し、その剛性を高めるためのリブを備えたものである。図では、外方上部吊り部材１１の幅方向両側の縁にリブ１１ｄを設けているが、外方下部吊り部材１２や、内方上部吊り部材１４、内方下部吊り部材１３に対して、このようなリブを設けてもよい。吊り部材の剛性が高まれば、強風やその他の外力によって部材が変形することを防止できる。
【００４５】
上記の各実施形態では、上部吊り部材１１，１４及び下部吊り部材１２，１３，１７を板状部材とし、回動支持部２０は、上部吊り部材１１，１４と下部吊り部材１２，１３，１７を貫通する回動軸２１，２２を備えるのとしたが、回動支持部２０の構成は、回動軸２１，２２によるものには限定されない。回動支持部２０として、例えば、二つの部材を首振り可能に接続するボールジョイント、ユニバーサルジョイント等の周知の機構を採用してもよい。
【００４６】
さらに、上部吊り部材１１，１４及び下部吊り部材１２，１３，１７は板状部材には限定されず、例えば、これらの部材を長尺状の軸状部材で構成してもよい。折板屋根２に固定する上部吊り部材１１，１４を、従来例のような折板屋根２を貫通する長尺状の吊りボルトとし、その吊りボルトに回動支持部２０を介して、下部吊り部材１２，１３，１７を接続してもよい。
【符号の説明】
【００４７】
１  雨樋
２  折板屋根
２ａ  底部
２ｂ  頂部
２ｃ  傾斜部
２ｄ  接合部
２ｇ  端縁
１０  樋受部材
１１，１４  上部吊り部材
１２，１３，１７  下部吊り部材
２０  回動支持部
２１，２２  回動軸
【図１】
2020090788.tif 000003
【図２】
2020090788.tif 000004
【図３】
2020090788.tif 000005
【図４】
2020090788.tif 000006
【図５】
2020090788.tif 000007
【図６】
2020090788.tif 000008
【図７】
2020090788.tif 000009
【図８】
2020090788.tif 000010
【図９】
2020090788.tif 000011